(57)【特許請求の範囲】
【請求項１】
未使用の転写テープが巻装される供給ボビンと、使用済みの前記転写テープが巻装される巻取ボビンと、前記供給ボビンと前記巻取ボビンを連動させる連動機構と、前記転写テープの転写層を被転写面に転写する転写ヘッドと、を有するレフィールユニットと、
前記レフィールユニットが収納されて、前記転写ヘッドが出没される開口部が形成されるケース本体と、
前記開口部の開放及び遮蔽が可能なキャップ部を備える回動部材と、
前記ケース本体に設けられて前記回動部材を回動自在に支持する支持軸と、
前記回動部材に設けられて前記回動部材を回動操作する操作部と、
前記レフィールユニットに形成されるカム部と、
前記回動部材に設けられて前記カム部と係合されるカムフォロアと、
を有し、
前記カム部は、前記キャップ部が前記開口部を開放するときには前記レフィールユニットが前進限に位置され、前記キャップ部が前記開口部を遮蔽するときには前記レフィールユニットが後退限に位置されるよう形成され、
前記支持軸は、前記ケース本体の内面から突出する円筒状とされて端部面に没入時係合部が設けられ、
前記回動部材は、内周面が前記支持軸により回動自在に支持される環状部が形成され、
前記環状部は、前記端部面を亘るよう形成される板バネ部が設けられ、
前記板バネ部には、前記ケース本体の外側に突出する前記操作部及び前記没入時係合部と係合可能な被係合部が設けられて、
前記被係合部は、前記レフィールユニットが後退限に位置される場合に前記没入時係合部と係合されることを特徴とする塗膜転写具。
【請求項２】
前記端部面には、前記被係合部と間隙をもって配置される平坦面が形成されることを特徴とする請求項１に記載の塗膜転写具。
【請求項３】
前記環状部には、円筒状に形成される前記支持軸の内周面と摺接されて径方向に弾発されるスライド部と、
円筒状に形成される前記支持軸の内周面に設けられる凸状又は凹状の変動部と、
を有することを特徴とする請求項１又は請求項２に記載の塗膜転写具。
【請求項４】
前記ケース本体には、前記回動部材の回動範囲を規制する規制部が設けられることを特徴とする請求項１乃至請求項３の何れかに記載の塗膜転写具。
【請求項５】
前記規制部は、前記ケース本体に形成されて前記操作部がガイドされる円弧状ガイド孔の両端部であることを特徴とする請求項４に記載の塗膜転写具。
【請求項６】
前記円弧状ガイド孔には、前記レフィールユニットが前進限に位置される場合には前記キャップ部が前記開口部を遮蔽するための文字等で構成される第１の指示表示が表示され、前記レフィールユニットが後退限に位置される場合には前記キャップ部が前記開口部を開放するための文字等で構成される第２の指示表示が表示されることを特徴とする請求項５に記載の塗膜転写具。
【発明の詳細な説明】
【技術分野】
【０００１】
本発明は、転写テープの転写層を被転写面に転写する塗膜転写具に関する。
【背景技術】
【０００２】
従来から、転写ヘッドがケース本体の開口部から出没される塗膜転写具において、転写ヘッドの出没と連動して開口部を開放及び遮蔽するキャップを備える塗膜転写具が開示されている。例えば、特許文献１に開示される塗膜転写具は、転写テープや供給リボン、巻取リボン及び転写ヘッドを備えるレフィールユニットがケース本体内に内装される。ケース本体の後端には、レフィールユニットを前後動させるノック機構が設けられる。そして、ケース本体の開口部には、レフィールユニットの前後動と連動して、ケース本体の開口部を開放及び遮蔽するキャップが備えられている。
【０００３】
このキャップは、ケース本体に片持ちで回動自在に支持される。そして、レフィールユニットに設けられるキャップ駆動突起と、キャップに設けられ、キャップ駆動突起と係合される被駆動部とにより、レフィールユニットの前後動と連動してキャップは開閉される。
【先行技術文献】
【特許文献】
【０００４】
【特許文献１】特開２０１１−１２１２０２号公報
【発明の概要】
【発明が解決しようとする課題】
【０００５】
特許文献１に開示される塗膜転写具のノック機構は、ノック棒やコイルバネ、ノックカム等により構成され、筆記具に用いられるノック機構として広く知られているものと同様とされている。そして、レフィールユニットの前後動とキャップの開閉を連動させるため、ノック機構とは別に、キャップ駆動突起や被駆動部を設ける必要がある。従って、レフィールユニットを前後動させるノック機構を別途設けた場合には、多くの部材を要する。さらに、レフィールユニットの前後動とキャップの開閉を連動させるための機構も必要となるので、塗膜転写具の構造が複雑になる。
【０００６】
本発明の目的は、レフィールユニットの出没とキャップの開閉を連動しつつ、構造を簡単にして少ない部品点数により構成した塗膜転写具を提供する。
【課題を解決するための手段】
【０００７】
本発明の塗膜転写具は、未使用の転写テープが巻装される供給ボビンと、使用済みの前記転写テープが巻装される巻取ボビンと、前記供給ボビンと前記巻取ボビンを連動させる連動機構と、前記転写テープの転写層を被転写面に転写する転写ヘッドと、を有するレフィールユニットと、前記レフィールユニットが収納されて、前記転写ヘッドが出没される開口部が形成されるケース本体と、前記開口部の開放及び遮蔽が可能なキャップ部を備える回動部材と、前記ケース本体に設けられて前記回動部材を回動自在に支持する支持軸と、前記回動部材に設けられて前記回動部材を回動操作する操作部と、前記レフィールユニットに形成されるカム部と、前記回動部材に設けられて前記カム部と係合されるカムフォロアと、を有し、前記カム部は、前記キャップ部が前記開口部を開放するときには前記レフィールユニットが前進限に位置され、前記キャップ部が前記開口部を遮蔽するときには前記レフィールユニットが後退限に位置されるよう形成されることを特徴とする。
【０００８】
また、前記ケース本体には、前記回動部材の回動範囲を規定する規制部が設けられることを特徴とする。
【０００９】
また、前記規制部は、前記ケース本体に形成されて前記操作部がガイドされる円弧状ガイド孔の両端部であることを特徴とする。
【００１０】
また、前記円弧状ガイド孔には、前記レフィールユニットが前進限に位置される場合には前記キャップ部が前記開口部を遮蔽するための文字等で構成される第１の指示表示が表示され、前記レフィールユニットが後退限に位置される場合には前記キャップが前記開口部を開放するための文字等で構成される第２の指示表示が表示されることを特徴とする。
【００１１】
また、前記支持軸は、前記ケース本体の内面から突出する円筒状とされて端部面に係合部が設けられ、前記回動部材は、内周面が前記支持軸により回動自在に支持される環状部が形成され、前記環状部は、前記端部面を亘るよう形成される板バネ部が設けられ、前記板バネ部には、前記ケース本体の外側に突出する前記操作ボタン及び前記係合部と係合可能な被係合部が設けられて、前記被係合部は、前記レフィールユニットが後退限に位置される場合に前記係合部と係合されることを特徴とする。
【００１２】
また、前記端部面には、前記被係合部と間隙をもって配置される平坦面形成されることを特徴とする。
【００１３】
また、前記環状部には、円筒状に形成される前記支持軸の内周面と摺接されて径方向に弾発されるスライド部と、円筒状に形成される前記支持軸の内周面に設けられる凸状又は凹状の変動部と、を有することを特徴とする。
【発明の効果】
【００１４】
本発明によれば、レフィールユニットを前後させつつ開口部を開放及び遮蔽する構造について、キャップ部を備える回動部材の操作部の回動操作で行うことができるので、簡単な構成で塗膜転写具を形成することができる。しかも、操作部の回転操作で転写ヘッドの出没操作ができるので、転写ヘッドの出没操作を容易に行うことができる。
【００１５】
また、回動部材は、規制部により回動範囲が規制されるので、回動限まで回動部材を回動させれば回動部材により転写ヘッドの出没操作を行うことができる。従って、さらに容易に塗膜転写具の転写ヘッドの出没操作を行うことができる。
【００１６】
また、操作部は、円弧状ガイド孔によりガイドされる。これにより、確実に操作部を回動操作させることができる。
【００１７】
また、円弧状ガイド孔には、転写ヘッドが突出されている場合には転写ヘッドを没入させる方向の表示（第１の指示表示）が表示され、転写ヘッドが突出されている場合には転写ヘッドを突出させる方向の表示（第２の指示表示）が表示される。これにより、使用者にとって、転写ヘッドの出没操作が分かり易い塗膜転写具とすることができる。
【００１８】
また、ケース本体の内面に円筒状の支持軸を形成して、この支持軸と回動部材の環状部が回動自在に支持されるようにした。そして、この支持軸の端部面に没入時係合部を設けた。そして、この没入時係合部と係合される被係合部を、回動部材の環状部に形成した板バネ部に設けた。この板バネ部には、操作部が設けられる。没入時係合部と被係合部の係合は、レフィールユニットが後退限に位置されるときに係合される。従って、レフィールユニットが後退限に位置している場合に、不意に転写ヘッドが突出されないよう、レフィールユニットをロックすることができる。
【００１９】
また、支持軸の端部面には、被係合部と間隙をもって配置される平坦面が形成される。これにより、板バネ部に張力を生じない箇所が存在するので、長期間の張力発生により板バネ部の曲がり癖等の不具合が低減される。
【００２０】
また、環状部には、円筒状に形成される支持軸の内周面と摺接されるスライド部が設けられる。このスライド部は、支持軸の内周面に形成される凸状又は凹状の変動部を乗り越え等すると変動する。これにより、使用者は、クリック感を知覚することができる。
【図面の簡単な説明】
【００２１】
【図１】本発明の実施形態に係る塗膜転写具の外観斜視図であり、（ａ）は転写ヘッドが没入されている状態を示し、（ｂ）は転写ヘッドが突出されている状態を示す。
【図２】本発明の実施形態に係る塗膜転写具の分解斜視図である。
【図３】本発明の実施形態に係る塗膜転写具の左右のケースを示す斜視図であり、（ａ）は左ケースを示し、（ｂ）は右ケースを示す。
【図４】本発明の実施形態に係る塗膜転写具の支持軸を示す図であり、（ａ）は後方から見た斜視図であり、（ｂ）は前方から見た斜視図である。
【図５】本発明の実施形態に係る塗膜転写具の回動部材を示す図であり、（ａ）は左側面から見た斜視図であり、（ｂ）は右側面から見た斜視図である。
【図６】本発明の実施形態に係る回動部材についての図５（ｂ）のＶＩ−ＶＩ断面図である。
【図７】本発明の実施形態に係る塗膜転写具の右側面から見た動作図である。
【図８】本発明の実施形態に係る塗膜転写具の右側面から見た動作図である。
【図９】本発明の実施形態に係る塗膜転写具を左側面から見た説明図である。
【発明を実施するための形態】
【００２２】
以下、本発明の実施形態を図に基づいて説明する。図１（ａ），（ｂ）はレフィール交換式の塗膜転写具１０の斜視図である。塗膜転写具１０は、ケース本体５を備える。この塗膜転写具１０は、転写テープＴの転写層を被転写面に転写する転写ヘッド８３がケース本体５の開口部５ａから出没可能に設けられている。なお、以下の説明においては、転写ヘッド８３（開口部５ａ）が備えられる方向を前とし、その反対方向を後とする。また、塗膜転写具１０を後方から前方に向かって見たときの左側を左、右側を右、図１（ａ），（ｂ）の上側を上、下側を下として説明する。
【００２３】
図１（ａ）は転写ヘッド８３が没入された状態を示し、図１（ｂ）は転写ヘッド８３が突出された状態を示す。ケース本体５は、側面視において、下側が凸の緩やかな略円弧状に形成されている。ケース本体５は、側面視における前端部分及び後端部分がそれぞれ凸円弧形状とされている。ケース本体５は、前端に略長矩形形状の開口部５ａが形成されている。転写ヘッド８３は、この開口部５ａから出没される。転写ヘッド８３は、回転自在に支持される転写ローラ８３ａが設けられている。この転写ローラ８３ａにより、転写テープＴの転写層が被転写面に転写される。
【００２４】
ケース本体５の左側面には、下方側が凸状になる円弧状に形成される円弧状ガイド孔５ｂが設けられている。そして、円弧状ガイド孔５ｂからは、操作部３０が突出している。転写ヘッド８３の出没操作は、操作部３０により行われる。図１（ａ）に示すように、操作部３０が後方側に位置するときには、転写ヘッド８３がケース本体５内に没入されて、キャップ部４１により開口部５ａがケース本体５の内側から遮蔽されている。従って、転写ヘッド８３がケース本体５に収納されている場合には、ケース本体５内への異物の侵入が阻止されている。また、図１（ｂ）に示すように、操作部３０が前方側に位置するときには、開口部５ａが開放されて、転写ヘッド８３が開口部５ａから突出される。
【００２５】
図２は、塗膜転写具１０の分解斜視図である。塗膜転写具１０のケース本体５は、左ケース５１と右ケース５２とにより形成される。左ケース５１及び右ケース５２は、それぞれ前後方向に長い略シェル状に形成されている。左ケース５１及び右ケース５２には、前端にそれぞれ切欠き凹状の左開口部５１ａ及び右開口部５２ａが形成されている。左ケース５１と右ケース５２が結合した際、この左開口部５１ａと右開口部５２ａにより、開口部５ａが形成される。
【００２６】
ケース本体５には、レフィールユニット８０が収納されている。未使用の転写テープＴがなくなった場合には、新たなレフィールユニット８０をケース本体５に収納することができる。レフィールユニット８０は、左プレート８１と右プレート８２を有する。左プレート８１及び右プレート８２は、それぞれ前後に長く、やや下側に凸となるよう緩やかに側面視略円弧状に形成される。そして、左プレート８１と右プレート８２は、それぞれ先端側が窄まるように形成され、転写ヘッド８３の転写ローラ８３ａが回転自在に支持されている。また、左プレート８１の先端部には、上後方から下前方に掛けて長く穿孔されるカム部２０が形成されている。
【００２７】
ここで、図２のＰ部に示すように、カム部２０の下端は、カム部２０の前方下側に設けられて端部が閉塞される第１カム部２１が設けられている。一方、カム部２０の上端は、カム部２０の後方上側に設けられて端部が閉塞される第３カム部２３が設けられている。そして、カム部２０は、第１カム部２１と第３カム部２３を接続する第２カム部２２が設けられている。従って、第２カム部２２は上側が後方側になるよう傾斜して設けられている。第３カム部２３の前側縁部と第２カム部２２の前側縁部の接続部分には、段部２３ａが設けられている。
【００２８】
左プレート８１と右プレート８２の間には、塗膜転写機構が設けられている。塗膜転写機構は、未使用の転写テープＴが巻装される供給ボビン８４、使用済みの転写テープＴが巻装される巻取ボビン８５、供給ボビン８４と巻取ボビン８５を回転連動させる連動機構８６、そして転写ヘッド８３が備えられる。連動機構８６は、多数のギヤやクラッチ機構から構成されている。
【００２９】
また、レフィールユニット８０（左プレート８１）と左ケース５１との間には、回動部材４０が設けられている。回動部材４０には、ケース本体５の開口部５ａを内側から覆って遮蔽することが可能なキャップ部４１が形成されている。キャップ部４１は、ケース本体５の側面視における前端部分の凸円弧形状に合わせて、側面視凸円弧状に形成されている。
【００３０】
次に図３（ａ），（ｂ）により、左ケース５１及び右ケース５２の内面の構造について説明する。図３（ａ）に示すように、左ケース５１の上下の縁部後方側には、円柱状のガイド柱５１ｂ，５１ｃが形成されている。左ケース５１の上下の縁部中央位置よりやや後方であって、ガイド柱５１ｂ，５１ｃより前方側には、平板状の係止部５１ｄ，５１ｅが形成されている。左ケース５１の上側の縁部における係止部５１ｄよりも前方側には、係合部５１ｆが形成されている。係合部５１ｆには、左ケース５１の上面から凹状に形成される凹部５１ｆ１が形成される。そして、この凹部５１ｆ１の凹面には、左ケース５１の内側に突出される平板状のプレート５１ｆ２が形成されている。左ケース５１の下側の縁部における係止部５１ｅよりも前方側には、凹部５１ｇが形成されている。
【００３１】
左ケース５１の下側の前方寄りの凹部５１ｇよりも前方側には、平板状のガイド板５１ｈが形成されている。左ケース５１の前側の外表面であって、左開口部５１ａの上方には、係止突起部を備える係止部５１ｑが形成されている。また、円弧状ガイド孔５ｂの下側の外周近傍には、回動部材４０を回動自在に保持する第１回動保持部５１ｒが形成されている。第１回動保持部５１ｒは、縦断面が鉤状に形成され、下方に凸とされる側面視円弧状に形成されている。
【００３２】
左ケース５１の内面における上下の縁部近傍には、前後に長い支持段５１ｊ，５１ｋが形成されている。支持段５１ｋ，５１ｊの段部の面には、前方側にそれぞれレフィールガイド部５１ｍ，５１ｎが形成されている。左ケース５１の内面における前端部近傍には、略円筒状の支持軸６０が形成されている。支持軸６０は、その中心位置が、円弧状ガイド孔５ｂの円弧中心とほぼ合致するよう位置されている。
【００３３】
図４（ａ），（ｂ）により、支持軸６０をさらに詳細に説明する。支持軸６０は、その上部が切欠き状に分断される分断部６０ａが形成されている。従って、支持軸６０は、開口側を上方に向けた側面視Ｃ環状に形成されている。そして、分断部６０ａには、回動部材４０を回動自在に保持する鉤状の第２回動保持部５１ｐが設けられている。
【００３４】
支持軸６０は、基端面６０ｂから立設される外周面６１及び内周面６２と、外周面６１と内周面６２とがそれぞれの端部で接続される端部面６３とにより形成される。端部面６３には、左ケース５１の内側（すなわち右側面側）から見て、分断部６０ａから反時計回りの順に、第１端部面６３ａ、第１傾斜面６３ｂ、平坦面６３ｃ、第２傾斜面６３ｄ、第２端部面６３ｅが形成されている。
【００３５】
第１端部面６３ａは、支持軸６０の基端面６０ｂと略平行な平坦面状に形成されている。第１端部面６３ａには、凹状の没入時係合部６３ａ１が形成されている。第１端部面６３ａと接続される第１傾斜面６３ｂは、基端面６０ｂ側に下る方向に傾斜して形成されている。第１傾斜面６３ｂと接続される平坦面６３ｃは、基端面６０ｂと略平行な平坦面状に形成されている。平坦面６３ｃと接続される第２傾斜面６３ｄは、第２端部面６３ｅに向けて登る方向の傾斜面とされている。第２端部面６３ｅは、基端面６０ｂからの高さが第１端部面６３ａと同じ高さとされる平坦面状に形成されている。第２傾斜面６３ｄと第２端部面６３ｅとの接続部近傍の第２端部面６３ｅには、凹状の突出時係合部６３ｅ１が形成されている。突出時係合部６３ｅ１における第２傾斜面６３ｄ側の面は、第２傾斜面６３ｄの頂部から凹部の底部に向かって下る方向に傾斜する係合傾斜面６３ｅ２とされている。
【００３６】
支持軸６０の内周面６２には、没入時係合部６３ａ１よりも時計回り方向の位置に変動部６２ａが形成されている。変動部６２ａは、内周面６２の内側方向に向けて凸状に形成される。
【００３７】
次に、図３（ｂ）に示すように、右ケース５２の後方側の上下の縁部には、円筒状のガイド柱被挿入部５２ｂ，５２ｃが形成されている。右ケース５２の上下の縁部中央位置よりやや後方であって、ガイド柱被挿入部５２ｂ，５２ｃより前方側には、係止孔部を備える被係止部５２ｄ，５２ｅが形成されている。右ケース５２の上側の縁部における被係止部５２ｄよりも前方側には、被係合部５２ｆが形成されている。被係合部５２ｆは、右ケース５２の内側に向けて平板状に突出されるプレート５２ｆ１が形成されている（図２も参照）。プレート５２ｆ１の下面には、前後に長い側面視長矩形の矩形長孔５２ｆ２が形成されている。右ケース５２の下側の縁部における被係止部５２ｅよりも前方側には、右ケース５２の内側方向に突出される平板状のプレート５２ｇが突出される。右ケース５２の下側の前方よりのプレート５２ｇよりも前方側には、前後に長い側面視長矩形の矩形長孔５２ｈが形成されている。右ケース５２の前側の縁部であって、右開口部５２ａの上方には、係止孔が形成される被係止部５２ｑが形成されている。
【００３８】
右ケース５２の内面には、上下の縁部近傍に、前後に長い段状のレフィールガイド部５２ｍ、５２ｎが設けられている。また、右ケース５２の内面前方部には、右プレート８２の右側面をガイドするリブ状に形成されるガイドリブ５２ｒが二箇所に形成されている。ガイドリブ５２ｒの上方側には、右プレート８２（図２参照）の前方側の上端面をガイドするプレートガイド５２ｓが設けられている。
【００３９】
このように形成される左ケース５１と右ケース５２が結合されると、左ケース５１のガイド柱５１ｂ，５１ｃは右ケース５２のガイド柱被挿入部５２ｂ，５２ｃに挿入される。同様に、係止部５１ｄ，５１ｅの係止突起は、それぞれ被係止部５２ｄ，５２ｅの係止孔部に挿入されて係止される。凹部５１ｆ１の上面にはプレート５２ｆ１が配置され、プレート５１ｆ２は矩形長孔５２ｆ２に挿入される。また、凹部５１ｇの下面には、プレート５２ｇが配置される。ガイド板５１ｈは、矩形長孔５２ｈに挿入される。係止部５１ｑの係止突起は、被係止部５２ｑの係止孔に係止される。このようにして、左ケース５１と右ケース５２は結合される。そして、左ケース５１と右ケース５２を分離する操作は、係止部５１ｄ，５１ｅをそれぞれ押圧して行う。係止部５１ｄ，５１ｅを押圧すると、係止部５１ｄ，５１ｅの係止突起は、被係止部５２ｄ，５２ｅの係止孔部から脱する。従って、左ケース５１と右ケース５２は分離することができる。
【００４０】
また、レフィールユニット８０の左プレート８１の上下の縁部は、レフィールガイド部５１ｍ，５１ｎによりガイドされる。同様に、右プレート８２の上下の縁部は、レフィールガイド部５２ｍ，５２ｎによりガイドされている。従って、レフィールユニット８０は、ケース本体５内に、前後に摺動自在に収納されている。より詳細には、レフィールユニット８０は、ケース本体５の形状に合わせて、側面視において僅かに下凸の円弧状に前後動される。
【００４１】
次に、図５（ａ），（ｂ）及び図６により、回動部材４０について説明する。回動部材４０は、略円環状の薄板状に形成される環状部４２が設けられている。図５（ａ）に示すように、環状部４２の左側面には、「ＯＰＥＮ」の文字と、左側面視時計回りの矢印マークからなる第１の指示表示４２ａが設けられている。同様に、環状部４２の左側面には、「ＣＬＯＳＥ」の文字と、左側面視反時計回り方向の矢印マークからなる第２の指示表示４２ｂが設けられている。そして、操作部３０は、第１の指示表示４２ａと第２の指示表示４２ｂとの間の環状部４２の左側面下側に配置されている。操作部３０は、固定操作部３１と可動操作部３２により構成される。固定操作部３１及び可動操作部３２は、それぞれ外側が球面部３１ａ，３２ａとされて、それぞれの内側の平面部３１ｂ，３２ｂが対向するように配置されている。
【００４２】
図５（ｂ）に示す通り、環状部４２は、その一部が切り欠かれて切欠部４２ｃが形成されている。一方、環状部４２の右側面からは、２本の梁状部４２ｄ，４２ｅが環状部４２の中心に向けて突出されている。そして、２本の梁状部４２ｄ，４２ｅが交わる位置（すなわち環状部４２の略中心位置）から切欠部４２ｃ（すなわち環状部４２の径外方向）に向けて、板バネ部４２ｆが延設されている。
【００４３】
２本の梁状部４２ｄ，４２ｅは、板バネ部４２ｆの反対側が厚肉部４２ｄ１，４２ｅ１とされ、板バネ部４２ｆ側は薄肉部４２ｄ２，４２ｅ２とされている。そして、薄肉部４２ｄ２，４２ｅ２の厚みは、板バネ部４２ｆの厚みと同じ厚みに形成されている。従って、板バネ部４２ｆは、厚肉部４２ｄ１，４２ｅ１で剛性高く支持されつつ、薄肉部４２ｄ２，４２ｅ２により十分な弾発力を生じさせることができる。
【００４４】
そして、操作部３０の固定操作部３１は、環状部４２の左側面に固定されている。可動操作部３２は、板バネ部４２ｆの先端部の左側面側に固定されている。板バネ部４２ｆの後方側の側面からは、小プレート４２ｆ１が突出されている。なお、小プレート４２ｆ１は、固定操作部３１や環状部４２とは接続されていない。さらに、図６に示すように、可動操作部３２は、環状部４２とは接続されていない。従って、可動操作部３２は、環状部４２の中心軸方向と略平行な方向に移動可能とされている。
【００４５】
また、図５（ａ）に示すように、板バネ部４２ｆの左側面側には、可動操作部３２と径方向に連接して、突起状の被係合部４２ｇが形成されている。そして、梁状部４２ｄ，４２ｅ及び板バネ部４２ｆの左側面は、連続した平坦面とされている。
【００４６】
さらに、梁状部４２ｅの左側面には、側面視円弧状のスライド部４３が設けられている。スライド部４３の先端部４３ａは膨出形状とされている。先端部４３ａの外周には、スライド部４３のうち最も径外方向に位置される摺接凸部４３ａ１が設けられている。スライド部４３は、環状部４２の径方向に弾発するよう形成されている。
【００４７】
また、図５（ｂ）に示すように、環状部４２の切欠部４２ｃ近傍のキャップ部４１側には、環状部４２の右側面から円柱状のカムフォロア４４が立設する。また、環状部４２の右側面からは、接続部４１ａが右側方向に立設されて、キャップ部４１と接続されている。
【００４８】
このように形成される回動部材４０は、操作部３０が円弧状ガイド孔５ｂから突出されるように、環状部４２の内周面４２ｈ（図５（ａ）参照）が支持軸６０の外周面６１（図４（ａ），（ｂ）参照）に回動自在に支持される。すなわち、図７及び図８に示すように、環状部４２は支持軸６０の外周に設けられ、板バネ部４２ｆは支持軸６０の端部面６３を亘って配置される。
【００４９】
一方、カムフォロア４４は、カム部２０に摺動自在に係合されている。そして、このカムフォロア４４がカム部２０に倣って、カム部２０に対して相対的に移動することにより、左プレート８１（すなわちレフィールユニット８０）が前後に移動される。レフィールユニット８０が前後に移動されると、転写ヘッド８３が出没される。そして、転写ヘッド８３の出没の動作に合わせて、キャップ部４１により、開口部５ａは、開口部５ａの内側から開放及び遮蔽される。
【００５０】
回動部材４０は、図７及び図８に示すように、環状部４２の右側面の外周縁部が第１回動保持部５１ｒにより回動自在かつ左ケース５１の内側方向への移動が規制されるようにして保持されている。同様に、回動部材４０は、環状部４２の右側面の内周縁部が、第２回動保持部５１ｐにより回動自在かつ左ケース５１の内側方向への移動が規制されるようにして保持されている。さらに、２本の梁状部４２ｄ，４２ｅ及び板バネ部４２ｆの連続した平坦面とされる左側面と、第１端部面６３ａ及び第２端部面６３ｅとが摺接されて、回動部材４０の支持軸６０に対する左ケース５１の外方向側への移動が規制されている。
【００５１】
また、回動部材４０が回動する範囲は、図１（ａ），（ｂ）に示すように、操作部３０が円弧状ガイド孔５ｂの端部である規制部５ｂ１，５ｂ２に当接されることにより規定される。ここで、図１（ａ），（ｂ）及び図７、図８において、左側面視時計回りの方向をＤ１の矢印で示し、左側面視反時計回りの方向をＤ２の矢印で示している。
【００５２】
操作部３０の回動規制は、具体的には、操作部３０の可動操作部３２が、円弧状ガイド孔５ｂの後端である規制部５ｂ２と当接されることにより、Ｄ２方向の回動部材４０の回動が規制される。一方、操作部３０の固定操作部３１が円弧状ガイド孔５ｂの前端である規制部５ｂ１と当接されることにより、Ｄ１方向の回動部材４０の回動が規制される。このようにして、円弧状ガイド孔５ｂの両端部により、回動部材４０の回動範囲が規制される。
【００５３】
図７に示すように、転写ヘッド８３が没入している場合（換言すれば、レフィールユニット８０が後退限に位置される場合）においては、回動部材４０の被係合部４２ｇは支持軸６０の没入時係合部６３ａ１と係合している。従って、回動部材４０の回動はロックされている。そして、カムフォロア４４は、カム部２０の第１カム部２１に位置している。このとき、キャップ部４１は開口部５ａを遮蔽している。
【００５４】
また、転写ヘッド８３が没入している場合には、図１（ａ）に示すように、円弧状ガイド孔５ｂから第１の指示表示４２ａが表示されている。これにより、「ＯＰＥＮ」の文字と、開口部５ａを開放して転写ヘッド８３を突出させるための操作部３０の操作方向が表示されるので、使用者にとって使いやすい塗膜転写具１０とされている。
【００５５】
そして、操作部３０の操作は、例えば右手で上方からケース本体５を把持して親指で行われる。図７及び図１（ａ）の状態から開口部５ａを開放して転写ヘッド８３を突出させるためには、操作部３０をＤ１方向（左側面視時計回り）に回動させる。このとき、操作部３０の可動操作部３２が自然と親指に触れられる。可動操作部３２は、固定操作部３１に対して、操作部３０を進行させようとしている方向と反対側に位置しているからである。そして、親指で可動操作部３２に触れたときには、板バネ部４２ｆの弾発力に抗して自然に可動操作部３２を押すこととなる。可動操作部３２が押されると、被係合部４２ｇも可動操作部３２が押された方向に移動する。すなわち、被係合部４２ｇは左ケース５１の内側方向へ移動される。すると、被係合部４２ｇと没入時係合部６３ａ１の係合は解除される。
【００５６】
そして、引き続き可動操作部３２を円弧状ガイド孔５ｂに沿って移動させると、被係合部４２ｇは、第１傾斜面６３ｂを下って平坦面６３ｃに到達する。このとき、被係合部４２ｇの突端部は、平坦面６３ｃと間隙を有している状態であって、板バネ部４２ｆには張力が発生していない。さらに、被係合部４２ｇと没入時係合部６３ａ１の係合が解除されたときに可動操作部３２から親指が離されてしまっても、第１傾斜面６３ｂにより被係合部４２ｇは強制的に平坦面６３ｃ上に移動される。従って、被係合部４２ｇと没入時係合部６３ａ１の係合を解除した後、塗膜転写具１０を放置したとしても、長時間に亘って板バネ４３ｆに張力が掛かることがないので、板バネ４３ｆに曲がり癖等が生じてしまうことはない。
【００５７】
さらに可動操作部３２を円弧状ガイド孔５ｂに沿って移動させると、被係合部４２ｇは、平坦面６３ｃから第２傾斜面６３ｄに到達し、第２傾斜面６３ｄを乗り越えて、図８に示すように、突出時係合部６３ｅ１と係合される。すなわち、被係合部４２ｇが突出時係合部６３ｅ１と係合すると、レフィールユニット８０は前進限とされて、回動部材４０はロックされる。また、被係合部４２ｇと突出時係合部６３ｅ１との係合と同時に、スライド部４３の摺接凸部４３ａ１は、変動部６２ａ１を乗り越える。これにより、使用者はクリック感を得ることができる。従って、使用者は転写ヘッド８３が完全に突出されたことを知ることができる。なお、可動操作部３２を親指で押さえていると、被係合部４２ｇと突出時係合部６３ｅ１との係合によるクリック感を感知し難いが、摺接凸部４３ａ１と変動部６２ａ１の乗越えによるクリック感により、レフィールユニット８０の前進限を感知することができる。
【００５８】
一方、図７の状態から被係合部４２ｇと没入時係合部６３ａ１の係合が解除された後、可動操作部３２を円弧状ガイド孔５ｂに沿って移動させると、回動部材４０のＤ１方向への回動により、キャップ部４１もＤ１方向に移動されるので、開口部５ａは開放される。同時に、カムフォロア４４もＤ１方向に回動される。すると、カムフォロア４４は、カム部２０に対して相対的に移動する。すなわち、カムフォロア４４は、第１カム部２１から第２カム部２２を経て、第３カム部２３に相対的に移動する。すると、左プレート８１（レフィールユニット８０）は、前方に移動して、転写ヘッド８３が突出されて、図８の状態となる。
【００５９】
転写ヘッド８３が突出されて転写操作が行われると、転写ヘッド８３は後方に向けて力を受ける。ここで、図９に示すように、転写ローラ８３ａの回転中心Ｃ１と回動部材４０の回動中心Ｃ２とを結ぶ線を線Ｌとする。円弧状ガイド孔５ｂの前側の規制部５ｂ１は線Ｌよりも上方に位置される。そして、転写ヘッド８３の突出時には、固定操作部３１の外周は規制部５ｂ１の縁（特に後側の縁部）と当接している。従って、操作部３０は、円弧状ガイド孔５ｂに倣って意図せず移動してしまうことがない。従って、転写ヘッド８３の使用中に、転写ヘッド８３がケース本体５の内部への没入が防止されている。
【００６０】
また、図８に示すように、転写ヘッド８３が後方に向けて力を受けて、左プレート８１（レフィールユニット８０）が僅かに後退されると、カムフォロア４４は第３カム部２３の段部２３ａと係合する。従って、カムフォロア４４がカム部２０に倣って相対的にカム部２０を移動してしまうことが規制されている。
【００６１】
図８及び図１（ｂ）の状態から転写ヘッド８３をケース本体５の内部に没入させる場合には、固定操作部３１を親指で触れて、操作部３０を円弧状ガイド孔５ｂに倣って後方に移動させる。このとき、被係合部４２ｇは、支持軸６０の係合傾斜面６３ｅ２の作用により、板バネ部４２ｆの弾発力に抗して係合傾斜面６３ｅ２を登っていく。従って、被係合部４２ｇと突出時係合部６３ｅ１の係合は解除される。
【００６２】
また、被係合部４２ｇと突出時係合部６３ｅ１の係合が解除されるのと同時に、スライド部４３の摺接凸部４３ａ１が変動部６２ａを乗り越えて、クリック感が生じる。従って、使用者は、転写ヘッド８３の没入が開始されたこと（すなわち、被係合部４２ｇと突出時係合部６３ｅ１の係合が解除されたこと）を感知することができる。
【００６３】
被係合部４２ｇと突出時係合部６３ｅ１の係合が解除された後、被係合部４２ｇは、第２傾斜面６３ｄ、平坦面６３ｃ、第１傾斜面６３ｂを移動して、没入時係合部６３ａ１に係合される。このとき、親指は固定操作部３１に触れているので、第１傾斜面６３ｂで張力が生じた板バネ部４２ｆにより、被係合部４２ｇは勢いよく没入時係合部６３ａ１と係合される。従って、被係合部４２ｇと没入時係合部６３ａ１の係合によりクリック感が発生されるので、使用者は、このクリック感を確実に感知することができる。そして、被係合部４２ｇと没入時係合部６３ａ１との係合により、不意に転写ヘッド８３が突出されないよう回動部材４０の回動はロックされる。
【００６４】
このようにして、使用者は、塗膜転写具１０の操作部３０を回動操作することで、転写ヘッド８３の出没と開口部５ａの開放及び遮蔽を容易に行うことができる。また、レフィールユニット８０を前後させる機構とキャップ部４１を動作させる機構が回動部材４０とカム部２０により形成されるので、簡単な構成で塗膜転写具１０を形成することができる。さらにまた、ケース本体５を側面視円弧状にして、このケース本体５に合わせてレフィールユニット８０を僅かに円弧状となるよう前後させることもできるので、レフィールユニットを直線的に動作させるのみの従来の構造と比べて、ケース本体５をデザインする上での制約も緩和される。
【００６５】
以上、本発明の実施形態を説明したが、本発明は本実施形態によって限定されることはなく、種々の形態で実施することができる。例えば、回動部材４０をケース本体５の外側に配置して、支持軸６０をケース本体５の外側に突出するよう形成することもできる。また、円弧状ガイド孔５ｂは、円弧形状に限られず、円形等の形状とすることができる。さらにまた、支持軸６０や規制部５ｂ１，５ｂ２は、ケース本体５に対して直接又は部材を介して間接的に設けることもできる。そして、転写テープＴは、修正テープやテープ糊等の種々の転写テープを用いることができる。
【００６６】
また、没入時係合部６３ａ１及び突出時係合部６３ｅ１と被係合部４２ｇの凹凸関係は、没入時係合部６３ａ１及び突出時係合部６３ｅ１を凸部として、被係合部４２ｇを凹部とすることもできる。また、支持軸６０内周面の変動部６２ａは支持軸６０の中心方向に凸となる形状としたが、凹状に形成することもできる。
【符号の説明】
【００６７】
５        ケース本体                  ５ａ      開口部
５ｂ      円弧状ガイド孔              ５ｂ１    規制部
５ｂ２    規制部                      １０      塗膜転写具
２０      カム部                      ２１      第１カム部
２２      第２カム部                  ２３      第３カム部
２３ａ    段部                        ３０      操作部
３１      固定操作部                  ３１ａ    球面部
３１ｂ    平面部                      ３２      可動操作部
３２ａ    球面部                      ３２ｂ    平面部
４０      回動部材                    ４１      キャップ部
４１ａ    接続部                      ４２      環状部
４２ａ    第１の指示表示              ４２ｂ    第２の指示表示
４２ｃ    切欠部                      ４２ｄ    梁状部
４２ｄ１  厚肉部                      ４２ｄ２  薄肉部
４２ｅ    梁状部                      ４２ｅ１  厚肉部
４２ｅ２  薄肉部                      ４２ｆ    板バネ部
４２ｆ１  小プレート                  ４２ｇ    被係合部
４２ｈ    内周面                      ４３      スライド部
４３ａ    先端部                      ４３ａ１  摺接凸部
４３ｆ    板バネ                      ４４      カムフォロア
５１      左ケース                    ５１ａ    左開口部
５１ｂ    ガイド柱                    ５１ｃ    ガイド柱
５１ｄ    係止部                      ５１ｅ    係止部
５１ｆ    係合部                      ５１ｆ１  凹部
５１ｆ２  プレート                    ５１ｇ    凹部
５１ｈ    ガイド板                    ５１ｊ    支持段
５１ｋ    支持段                      ５１ｍ    レフィールガイド部
５１ｎ    レフィールガイド部          ５１ｐ    第２回動保持部
５１ｑ    係止部                      ５１ｒ    第１回動保持部
５２      右ケース                    ５２ａ    右開口部
５２ｂ    ガイド柱被挿入部            ５２ｃ    ガイド柱被挿入部
５２ｄ    被係止部                    ５２ｅ    被係止部
５２ｆ    被係合部                    ５２ｆ１  プレート
５２ｆ２  矩形長孔                    ５２ｇ    プレート
５２ｈ    矩形長孔                    ５２ｍ    レフィールガイド部
５２ｎ    レフィールガイド部          ５２ｑ    被係止部
５２ｒ    ガイドリブ                  ５２ｓ    プレートガイド
６０      支持軸                      ６０ａ    分断部
６０ｂ    基端面                      ６１      外周面
６２      内周面                      ６２ａ    変動部
６２ａ１  変動部                      ６３      端部面
６３ａ    第１端部面                  ６３ａ１  没入時係合部
６３ｂ    第１傾斜面                  ６３ｃ    平坦面
６３ｄ    第２傾斜面                  ６３ｅ    第２端部面
６３ｅ１  突出時係合部                ６３ｅ２  係合傾斜面
８０      レフィールユニット          ８１      左プレート
８２      右プレート                  ８３      転写ヘッド
８３ａ    転写ローラ                  ８４      供給ボビン
８５      巻取ボビン                  ８６      連動機構
【図１】
0006602556.tif 000002
【図２】
0006602556.tif 000003
【図３】
0006602556.tif 000004
【図４】
0006602556.tif 000005
【図５】
0006602556.tif 000006
【図６】
0006602556.tif 000007
【図７】
0006602556.tif 000008
【図８】
0006602556.tif 000009
【図９】
0006602556.tif 000010